(57)【特許請求の範囲】
【請求項１】
泡立たない液状物を吐出ノズルのノズル孔から吐出して噴霧するための噴霧器において、
前記泡立たない液状物が水に溶けない溶剤又は水に溶けないシリコーンオイルの少なくとも１つ以上を0.1％以上含むものであり、
上記吐出ノズルが、ノズル孔からの吐出液状物をガイドする筒状のガイド通路を備えてなるガイド筒を該ノズル孔の出側に備えてなり、
上記ガイド筒のガイド通路面に、該ガイド筒の周方向もしくは軸方向に延びる溝を付してなることを特徴とする噴霧器。
【請求項２】
泡立たない液状物を吐出ノズルのノズル孔から吐出して噴霧するための噴霧器において、
前記泡立たない液状物が水に溶けない溶剤又は水に溶けないシリコーンオイルの少なくとも１つ以上を0.1％以上含むものであり、
上記吐出ノズルが、ノズル孔からの吐出液状物をガイドする筒状のガイド通路を備えてなるガイド筒を該ノズル孔の出側に備えてなり、
上記ガイド筒のガイド通路面に、該ガイド筒の周方向に延びる溝と軸方向に延びる溝とを付してなることを特徴とする噴霧器。
【請求項３】
前記吐出ノズルが、加圧液状物をスピン流としてノズル孔に導くスピン通液溝を備え、
前記ガイド筒が、ガイド通路回りに該ガイド通路の前面外周側から該ガイド通路のノズル孔寄り内周部に導通する外気巻き込み通路を備えてなる請求項１又は２記載の噴霧器。
【請求項４】
前記ガイド筒が、ガイド筒の軸方向外方に向けてテーパー状に拡径する部分を備える請求項１〜３のいずれかに記載の噴霧器。
【発明の詳細な説明】
【０００１】
【発明の属する技術分野】
本発明は、ワックス、塗料等のための噴霧器に関する。
【０００２】
【従来の技術】
従来、特公昭62-59635号公報に記載の如く、液状物を吐出ノズルのノズル孔から吐出して噴霧する噴霧器が用いられている。
【０００３】
この噴霧器では、内容物を遠方の目的物に到達させる場合は霧状に噴霧するとともに、目的物に確実に付着させたい場合には障壁をノズル孔の前面に配置することで泡立たせるようにし、この障壁の位置をノズル孔の前面と、それ以外の位置とに切りかえることで 2つの場合を満足する構成としている。
【０００４】
【発明が解決しようとする課題】
従来技術の噴霧器を用いて、泡立たない液状物を噴霧しようとする場合には、以下の問題点がある。
▲１▼泡立たない液状物は、ノズル孔から霧状に吐出する粒子径が小粒子になり易い。このため、液状物を屋外で噴霧するとき、風に飛ばされて目的物に到達しにくい。
【０００５】
▲２▼泡立たない液状物は、障壁を配置しても泡立たないので、泡立つ液状物に比して、ノズル孔から吐出する粒子の粒子速度が高速になり易い。このため、目的物に到達後の液状物のはね返りが過大になり、目的物に付着しなかったり、他のものにまで飛散してしまうことがあある。
【０００６】
本発明の課題は、泡立たない液状物を目的物に確実に到達させ付着させるように噴霧することにある。
【０００７】
【課題を解決するための手段】
請求項１に記載の本発明は、泡立たない液状物を吐出ノズルのノズル孔から吐出して噴霧するための噴霧器において、前記泡立たない液状物が水に溶けない溶剤又は水に溶けないシリコーンオイルの少なくとも１つ以上を0.1％以上含むものであり、上記吐出ノズルが、ノズル孔からの吐出液状物をガイドする筒状のガイド通路を備えてなるガイド筒を該ノズル孔の出側に備えてなり、上記ガイド筒のガイド通路面に、該ガイド筒の周方向もしくは軸方向に延びる溝を付してなるようにしたものである。
【０００８】
請求項２に記載の本発明は、泡立たない液状物を吐出ノズルのノズル孔から吐出して噴霧するための噴霧器において、前記泡立たない液状物が水に溶けない溶剤又は水に溶けないシリコーンオイルの少なくとも１つ以上を0.1％以上含むものであり、上記吐出ノズルが、ノズル孔からの吐出液状物をガイドする筒状のガイド通路を備えてなるガイド筒を該ノズル孔の出側に備えてなり、上記ガイド筒のガイド通路面に、該ガイド筒の周方向に延びる溝と軸方向に延びる溝とを付してなるようにしたものである。
【００１１】
ここで、水に溶けないとは、水と同量をビーカーの中に攪拌させ１日保存させた後、境界面が目視で確認でき、且つ体積変化が 5％以下のものをいうものとする。
【００１２】
請求項１に記載の本発明によれば下記(a)〜(c)の作用がある。
(a)ガイド筒のガイド通路面に溝を設けた。従って、泡立たない液状物粒子を溝にてはね返してその粒子速度を低減し、ガイド筒内で互いに混和して大粒子に成長させ、或いは溝に留まらせて大粒子に成長させた後、後続吐出粒子に巻き込んで噴霧せしめる。
【００１３】
(b)上記(a)により、泡立たない液状物の吐出粒子径を大きくできる。従って、泡立たない液状物を屋外で噴霧するとき、液状物を風に飛ばされることなく目的物に到達させることができる。
【００１４】
(c)上記(a)により、泡立たない液状物の吐出粒子速度を低速にできる。従って、目的物に到達後の液状物のはね返りを防ぎ、吐出液を目的物に確実に付着させ、他のものにまで飛散させてしまうことを回避できる。
【００１５】
尚、ガイド筒のガイド通路面に設けた周方向の溝は、吐出液を半径方向外方に拡散させるように働き、吐出液の吐出パターン角度を広角化する。
【００１６】
また、ガイド筒のガイド通路面に設けた軸方向の溝は、液状物粒子をはね返すに際し、吐出液の周方向分布を乱す程度を少なくするものであり、吐出液の吐出パターンをよりよく円形にできる。
【００１７】
ガイド筒のガイド通路面に設ける溝の形態は、液状物の物性に応じて選定できる。
【００１８】
請求項２に記載の本発明によれば下記(d)の作用がある。
(d)ガイド筒のガイド通路面に、周方向の溝と軸方向の溝の両者を設けることにより、泡立たない液状物の吐出粒子径をより大きく、吐出粒子速度をより低速にできる。従って、泡立たない液状物を屋外で噴霧するとき、液状物を風に飛ばされることなく目的物に到達させることの作用をより確実化できる。また、目的物に到達後の液状物のはね返りを防ぎ、吐出液を目的物に確実に付着させ、他のものにまで飛散させてしまうことを回避できることの作用をより確実化できる。
【００２０】
【発明の実施の形態】
図１は第１実施形態の噴霧器を示す断面図、図２は図１の吐出ノズルを示す断面図、図３は図２のIII-III 線に沿う矢視図、図４はガイド筒を示す正面図、図５はガイド筒を示す模式図、図６は第２実施形態のガイド筒を示す模式図、図７は第３実施形態のガイド筒を示す模式図、図８は第４実施形態のガイド筒を示す模式図、図９は第５実施形態のガイド筒を示す模式図である。
【００２１】
（第１実施形態）（図１〜図５）
トリガー式噴霧器１０は、図１に示す如く、容器１１の開口部１１Ａに螺着されるキャップ１２によりトリガー組立体１３を固定している。そして、噴霧器１０は、糊剤、コーティング剤等を後述する吐出ノズル２８のノズル孔２８Ａから噴霧状に吐出せしめる。
【００２２】
トリガー組立体１３は、トリガーハウジング１５に通液体１７を嵌入し、通液体１７の下部フランジ部１７Ａを上述のキャップ１２により上記容器１１の開口部１１Ａに固定的に保持している。通液体１７には、通液路１８に連なる通液チューブ１９が嵌合せしめられ、通液チューブ１９は容器１１の容器内空間１１Ｂを底部にまで延在せしめられている。
【００２３】
トリガー組立体１３は、トリガーハウジング１５の前面側下部にトリガー２１（操作部）を有し、トリガーハウジング１５内における通液体１７の前部であるポンプシリンダ１５Ａにポンプ室２２を形成し、ポンプシリンダ１５Ａに液密に摺動可能にポンプ室２２に挿入されるピストン２３をトリガー２１によって加圧操作可能としている。ポンプシリンダ１５Ａのピストン摺動方向に相対する端面に立設されるばね支持筒１５Ｂの内部には圧縮ばね２４の一端が支持され、圧縮ばね２４の他端はピストン２３に衝合されるようになっている。ポンプ室２２は、ポンプシリンダ１５Ａのピストン摺動方向に相対する端面のばね支持筒１５Ｂの外側に設けた通液口２５を経由して、通液体１７の通液路１８に連通している。トリガー２１の加圧操作によりピストン２３はポンプシリンダ１５Ａ内で圧縮ばね２４のばね力に抗して、原位置からポンプ室２２内に押し込まれてポンプシリンダ１５Ａ内の液状物を圧縮し、ポンプ室２２に吐出圧を生成する。また、トリガー２１の加圧操作解除によりピストン２３は圧縮ばね２４のばね力により原位置に戻されてポンプ室２２を拡張することにてポンプシリンダ１５Ａ内に液状物を吸引するように、ポンプ室２２に吸引圧を生成する。
【００２４】
トリガー組立体１３は、トリガーハウジング１５の上部に吐出路２６を有している。吐出路２６は、連通路２７を介して、通液体１７の通液路１８に連通している。
【００２５】
噴霧器１０は、トリガー組立体１３の前面部に前述の吐出ノズル２８を装着されている。吐出ノズル２８は上述の吐出路２６に連なるノズル孔２８Ａを備える。
【００２６】
このとき、吐出ノズル２８は、吐出路２６から供給される加圧液状物をスピン流としてノズル孔２８Ａに導くスピン通液溝２９Ａを備えてなるスピン部２９を設けている（図２、図３）。液状物は、スピン部２９のスピン通液溝２９Ａを通ってスピンを付与されることにより砕かれて小粒子化される。
【００２７】
噴霧器１０は、ポンプ室２２と容器内空間１１Ｂとの連絡通路である通液路１８にボール状入側逆止弁３１を設けている。これにより、入側逆止弁３１は、(a) 自由状態において入側弁座３３に着座して通液路１８を閉じ、(b) ポンプ室２２の吸引圧によって通液路１８を開き容器内空間１１Ｂからポンプ室２２への液の流れを許容する。
【００２８】
また、噴霧器１０は、ポンプ室２２と吐出口２８Ａとの連絡通路である通液路１８に、２連空洞部３４Ｂを備えた弾性体（プラスチック）からなる伸縮自在の出側逆止弁３４を設けている。出側逆止弁３４は、２連空洞部３４Ｂの上部を通液体１７の上部に固定されており、(a) 自由状態において、２連空洞部３４Ｂの弾発力により弁体３４Ａを出側弁座３５に着座させて通液路１８を閉じ、(b) ポンプ室２２の吐出圧によって通液路１８を開きポンプ室２２から吐出口２８Ａへの液の流れを許容する。
【００２９】
尚、図１において、３０はトリガー２１を引き切ったピストン２３の押し込みストローク端で、容器１１の内部に外気を導入する空気置換路である。
【００３０】
しかるに、噴霧器１０にあっては、液状物として泡立たないものを用いる。泡立たない液状物とは、「水に溶けない溶剤（例：パラフィン、イソパラフィン。但し、水に溶けないものであればこの限りではない。）、又は水に溶けないシリコーンオイル（例：ジメチルシロキサン、アミノ変性シリコーン、メチルフェニルシリコーン。但し、水に溶けないものであればこの限りではない。）の少なくとも 1つ以上を 0.1％以上含むもの」として定義できる。また、水に溶けないとは、水と同量をビーカーの中に攪拌させ 1日保存させた後、境界面が目視で確認でき、且つ体積変化が 5％以下のものをいうものとする。
【００３１】
具体的には、例えば表１記載の液状物を用いる。尚、この液状物において水に溶けない溶剤はイソパラフィンである。
【００３２】
【表１】
0003765023.tif 000002
【００３３】
そして、噴霧器１０にあっては、吐出ノズル２８が、ノズル孔２８Ａの出側にガイド筒５１を設けている。ガイド筒５１は、ノズル孔２８Ａからの吐出液状物をガイドする筒状のガイド通路５２を備える。このとき、ガイド通路５２のガイド通路面５２Ａは、ガイド筒５１の軸方向外方に向けてテーパ状に拡径し、ガイド筒５１の軸方向に延びる溝５３を付されている（図４、図５）。
【００３４】
また、ガイド筒５１は、ガイド通路５２を備えるとともに、外気巻き込み通路５５を備えている。外気巻き込み通路５５は、ガイド通路５２回りに該ガイド通路５２の前面外周側から該ガイド通路５２のノズル孔２８Ａ寄り内周部に導通するものである。
【００３５】
尚、ガイド筒５１のガイド通路面５２Ａに付される溝５３の溝断面形状は、例えば図４（Ａ）〜（Ｄ）の如くに変形できる。この溝５３の溝断面形状は、液状物の物性に応じて選定できる。
【００３６】
具体的には、上記溝５３の円周上の溝の個数、溝５３の深さ、溝５３の軸方向の長さ、溝５３の幅等を液状物の物性に応じて選定すればよい。
【００３７】
更に上記ガイド通路５２については、口径、ガイド通路５２の軸方向の長さ等も液状物の物性に応じて選定すればよい。
【００３８】
従って、本実施形態によれば以下の作用がある。
▲１▼ガイド筒５１のガイド通路面５２Ａに溝５３を設けた。従って、泡立たない液状物粒子を溝５３にてはね返してその粒子速度を低減し、ガイド筒５１内で互いに混和して大粒子に成長させ、或いは溝５３に留まらせて大粒子に成長させた後、後続吐出粒子に巻き込んで噴霧せしめる。
【００３９】
例えば、液状物として泡立たないもので、粘度40cpのものを用いたとき、吐出液の平均粒子径は 500〜1000μm （本実施形態のガイド筒５１を用いない従来装置では 100μm ）に大きくなり、吐出液の平均粒子速度は 1.5〜 3m/sec （本実施形態のガイド筒５１を用いない従来装置では 4〜 5m/sec ）に減速できる。
【００４０】
▲２▼上記▲１▼により、泡立たない液状物の吐出粒子径を大きくできる。従って、泡立たない液状物を屋外で噴霧するとき、液状物を風に飛ばされることなく目的物に到達させることができる。
【００４１】
▲３▼上記▲１▼により、泡立たない液状物の吐出粒子速度を低速にできる。従って、目的物に到達後の液状物のはね返りを防ぎ、吐出液を目的物に確実に付着させ、他のものにまで飛散させてしまうことを回避できる。
【００４２】
▲４▼ガイド筒５１のガイド通路面５２Ａに軸方向の溝５３を設けたから、液状物粒子をはね返すに際し、吐出液の周方向分布を乱す程度を少なくするものとなり、吐出液の吐出パターンをよりよく円形にできる。
【００４３】
▲５▼ガイド筒５１が、ガイド通路５２回りに外気巻き込み通路５５を備えたから、ガイド通路５２により大粒子に成長せしめられた液状物に外気を混和させて粒子を細分化することにより、液状物の吐出粒子を適度な大きさに調整できる。この外気巻き込み通路５５の有無、その通路面積の大小等は、液状物の物性に応じて選定できる。
【００４４】
（第２実施形態）（図６）
第２実施形態の噴霧器１０が第１実施形態の噴霧器１０と異なる点は、ガイド筒５１のガイド通路面５２Ａが、ガイド通路５２の軸方向外方に向けて非テーパのストレート状をなし、ガイド筒５１の軸方向に延びる溝５３と、周方向に延びる溝５４とを併せ付されたことにある（図６）。
【００４５】
従って、本実施形態によれば以下の作用がある。
ガイド筒５１のガイド通路面５２Ａに、周方向の溝５４と軸方向の溝５３の両者を設けることにより、泡立たない液状物の吐出粒子径をより大きく、吐出粒子速度をより低速にできる。従って、泡立たない液状物を屋外で噴霧するとき、液状物を風に飛ばされることなく目的物に到達させることの作用をより確実化できる。また、目的物に到達後の液状物のはね返りを防ぎ、吐出液を目的物に確実に付着させ、他のものにまで飛散させてしまうことを回避できることの作用をより確実化できる。
【００４６】
（第３実施形態）（図７）
第３実施形態の噴霧器１０が第１実施形態の噴霧器１０と異なる点は、ガイド筒５１のガイド通路面５２Ａが、ガイド筒５１の周方向に延びる溝５４を付されたことにある（図７）。
【００４７】
ここで、ガイド通路面５２Ａの内径は約 4.0mmであり、その軸方向長さは 5.2mmである。ガイド通路５２の端面とノズル孔２８Ａとの間は約 1.5mm離れており、外気巻き込み通路を経由した外気がガイド通路内に流入するように構成している。
【００４８】
溝はノズル側より 0.7mmピッチで 6本形成してあり、その深さは約0.25mmである。尚、ガイド通路面５２Ａのノズル側とは反対側の約 1mmの範囲には溝５４を付していない。
【００４９】
上記のように構成した容器に表１記載の液状物を入れた。尚、上記の寸法や溝の本数等は、液状物や使用目的に応じて適宜変更することができる。
【００５０】
従って、本実施形態によれば、以下の作用がある。
ガイド筒５１のガイド通路面５２Ａに周方向の溝５４を設けたから、吐出液を半径方向外方に拡散させるようにはね返し、吐出液の吐出パターン角度を広角化できる。
【００５１】
（第４実施形態）（図８）
第４実施形態の噴霧器１０が第１実施形態の噴霧器１０と異なる点は、ガイド筒５１のガイド通路面５２Ａを、ガイド筒５１の軸方向外方に向けてテーパ状に拡径し、しかる後に非テーパのストレート状をなすようにしたことにある。
【００５２】
（第５実施形態）（図９）
第５実施形態の噴霧器１０が第１実施形態の噴霧器１０と異なる点は、ガイド筒５１のガイド通路面５２Ａを、ガイド筒５１の軸方向外方に向けてテーパ状に縮径し、しかる後に逆テーパ状に拡径するようにしたことにある。
【００５３】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の溝は、ガイド筒の軸方向と同方向のそれぞれに対して斜めに交差する溝、或いはらせん状の溝であっても良い。
【００５４】
【発明の効果】
以上のように本発明によれば、泡立たない液状物を目的物に確実に到達させ付着させるように噴霧することができる。
【図面の簡単な説明】
【図１】図１は第１実施形態の噴霧器を示す断面図である。
【図２】図２は図１の吐出ノズルを示す断面図である。
【図３】図３は図２のIII-III 線に沿う矢視図である。
【図４】図４はガイド筒を示す正面図である。
【図５】図５はガイド筒を示す模式図である。
【図６】図６は第２実施形態のガイド筒を示す模式図である。
【図７】図７は第３実施形態のガイド筒を示す模式図である。
【図８】図８は第４実施形態のガイド筒を示す模式図である。
【図９】図９は第５実施形態のガイド筒を示す模式図である。
【符号の説明】
１０  噴霧器
２８  吐出ノズル
２８Ａ  ノズル孔
５１  ガイド筒
５２  ガイド通路
５２Ａ  ガイド通路面
５３、５４  溝
５５  外気巻き込み通路
【図１】
0003765023.tif 000003
【図２】
0003765023.tif 000004
【図３】
0003765023.tif 000005
【図４】
0003765023.tif 000006
【図５】
0003765023.tif 000007
【図６】
0003765023.tif 000008
【図７】
0003765023.tif 000009
【図８】
0003765023.tif 000010
【図９】
0003765023.tif 000011